(57)【要約】【課題】接着剤２が意図しない部分に広がってしまうことを防止する。【解決手段】流動性のある接着剤２を用いて被接着部材である光ピックアップの構成部品同士を接着させた光ピックアップ装置１において、被接着部材５，６の少なくともいずれか一方の接着剤塗布部分３に、接着剤２の流動方向を規制する複数本の流動方向規制溝４を形成する。【選択図】        図１
2004348879.tif 000002
【特許請求の範囲】
【請求項１】
流動性のある接着剤を用いて被接着部材である光ピックアップの構成部品同士を接着させた光ピックアップ装置において、前記被接着部材の少なくともいずれか一方の接着剤塗布部分に、前記接着剤の流動方向を規制する複数本の流動方向規制溝を形成したことを特徴とする光ピックアップ装置。
【請求項２】
前記流動方向規制溝は、前記接着剤に毛細管現象を生じさせる細溝であることを特徴とする請求項１記載の光ピックアップ装置。
【発明の詳細な説明】
【０００１】
【発明の属する技術分野】
本発明は、ＣＤやＤＶＤなどの光ディスクに情報を読み書きするための光ピックアップ装置に関する。さらに詳述すると、本発明は、光ピックアップ装置の部品同士の接着部位の構造に関する。
【０００２】
【従来の技術】
光ピックアップ装置の構成部品には接着により固定されるものがある。このような被接着部材としては、例えば光を電気に変換するＩＣであるＰＤＩＣがある。このＰＤＩＣは、図４に示すように光軸を調整した後に通常は紫外線硬化樹脂などの接着剤１００によりベースフレーム１０１の光路孔１０２の周囲１０３に接着固定される。光路孔１０２の周囲１０３は平面であり、ここに接着剤１００が塗布される。また、光路孔１０２の内部には移動可能な調整部品１０４が設けられている。
【０００３】
【発明が解決しようとする課題】
しかしながら、上述した接着方法では光路孔１０２の周囲１０３が平面であるので、紫外線を照射するまでの間は接着剤１００が全方向に広がってしまう。特にＰＤＩＣを貼り付けることにより、接着剤１００が毛細管現象によって光路孔１０２の内部に流れ込んで調整部品１０４を固めてしまう虞がある。この場合、調整部品１０４が移動できなくなって調整不可になってしまう。
【０００４】
そこで、本発明は、接着剤が意図しない部分に広がってしまうことを防止する光ピックアップ装置を提供することを目的とする。
【０００５】
【課題を解決するための手段】
かかる目的を達成するため、請求項１記載の発明は、流動性のある接着剤を用いて被接着部材である光ピックアップの構成部品同士を接着させた光ピックアップ装置において、被接着部材の少なくともいずれか一方の接着剤塗布部分に、接着剤の流動方向を規制する複数本の流動方向規制溝を形成するようにしている。
【０００６】
したがって、被接着部材の接着剤塗布部分に塗布された接着剤は、流動方向規制溝に沿って流れるようになり、それ以外の方向には流れない。よって、流動方向規制溝を接着剤が流れるべきでない方向とは傾けて設けることにより、接着剤が意図しない方向に広がってしまうことを防止できる。
【０００７】
また、請求項２記載の発明は、請求項１記載の光ピックアップ装置において、流動方向規制溝は、接着剤に毛細管現象を生じさせる細溝であるようにしている。したがって、流動方向規制溝は細溝であるので、接着によりアンカー効果を生じて接着強度を高めることができる。
【０００８】
【発明の実施の形態】
以下、本発明の構成を図面に示す実施形態に基づいて詳細に説明する。
【０００９】
図１及び図２に本発明の光ピックアップ装置１の実施の一形態を示す。この光ピックアップ装置１は、流動性のある接着剤２を用いて被接着部材である光ピックアップの構成部品同士を接着させたものである。この光ピックアップ装置１は、被接着部材の少なくともいずれか一方の接着剤塗布部分３に、接着剤２の流動方向を規制する複数本の流動方向規制溝４を備えている。被接着部材の接着剤塗布部分３に塗布された接着剤２は、流動方向規制溝４に沿って流れるようになり、それ以外の方向には流れない。流動方向規制溝４は、接着剤２に毛細管現象を生じさせる細溝であるようにしている。
【００１０】
本実施形態では、被接着部材はＰＤＩＣ５およびベースフレーム６としている。そして、ベースフレーム６の接着剤塗布部分３、すなわち光路孔７の周囲に流動方向規制溝４が設けられている。流動方向規制溝４は、光路孔７の中心に対して直交するように形成されている。これにより、接着剤２は光路孔７に向けて流れないようになる。なお、光路孔７の内部には移動可能な調整部品９が設けられている。
【００１１】
上述した光ピックアップ装置１を組み立てる際は、ベースフレーム６の流動方向規制溝４に接着剤２を塗布する。そして、ＰＤＩＣ５を光軸を調整しながら位置決めする。このとき、接着剤２はＰＤＩＣ５とベースフレーム６との間で広がるが、流動方向規制溝４に沿って流れるので光路孔７に向けては流れない。そして、ＰＤＩＣ５の位置決め後に紫外線を照射して接着固定する。よって、接着剤２が光路孔７に入り込んで調整部品９を固めてしまうようなことを防止できる。
【００１２】
本実施形態によれば、流動方向規制溝４を細溝にしているので、接着によりアンカー効果を生じて接着強度を高めることができる。
【００１３】
なお、上述の実施形態は本発明の好適な実施の一例ではあるがこれに限定されるものではなく、本発明の要旨を逸脱しない範囲において種々変形実施可能である。例えば本実施形態では被接着部材はＰＤＩＣ５およびベースフレーム６としているが、これには限られず例えば図３に示すように反射ミラー８およびベースフレーム６としても良い。この場合も流動方向規制溝４を光路孔７の中心に対して直交するように形成することにより、接着剤２が光路孔７に向けて流れないようにできる。
【００１４】
また、本実施形態では流動方向規制溝４は接着剤２に毛細管現象を生じさせる細溝であるようにしているが、これには限られず毛細管現象を生じさせない程度の太さのある溝であっても良い。
【００１５】
【発明の効果】
以上の説明から明らかなように、請求項１記載の光ピックアップ装置によれば、被接着部材の接着剤塗布部分に塗布された接着剤は、流動方向規制溝に沿って流れるようになり、それ以外の方向には流れない。よって、流動方向規制溝を接着剤が流れるべきでない方向とは傾けて設けることにより、接着剤が意図しない方向に広がってしまうことを防止できる。これにより、接着作業不良を減らすことができる。
【００１６】
また、請求項２記載の光ピックアップ装置によれば、流動方向規制溝は細溝であるので、接着によりアンカー効果を生じて接着強度を高めることができる。これにより、製品の信頼性を高めることができる。
【図面の簡単な説明】
【図１】本発明の光ピックアップ装置のＰＤＩＣを取り付ける前の状態を示す正面図とＩ−Ｉ線で切断した状態を示す断面図である。
【図２】光ピックアップ装置のＰＤＩＣを取り付けた後の状態を示す正面図とＩＩ−ＩＩ線で切断した状態を示す断面図である。
【図３】光ピックアップ装置の反射ミラーの取り付け位置を示す底面図である。
【図４】従来の光ピックアップ装置のＰＤＩＣを取り付ける前の状態を示す正面図とＩＶ−ＩＶ線で切断した状態を示す断面図である。
【符号の説明】
１  光ピックアップ装置
２  接着剤
３  接着剤塗布部分
４  流動方向規制溝
５  ＰＤＩＣ（被接着部材）
６  ベースフレーム（被接着部材）
【図１】
2004348879.tif 000003
【図２】
2004348879.tif 000004
【図３】
2004348879.tif 000005
【図４】
2004348879.tif 000006